(57)【特許請求の範囲】
【請求項１】
一枚ずつ搬送された原稿を密着型イメージスキャナの原稿読取り部を通過させて読み取る原稿読取り装置であって、
前記原稿読取り部と対峙して、当該原稿読取り部における主走査方向に長い原稿案内体が配置され、該原稿案内体における原稿搬送の下流側であって、前記原稿読取り部の読取ラインと対峙する位置には、前記原稿読取り部の主走査方向に沿う表面と適宜隙間隔て実質上平行状の案内面が形成されると共に、
前記隙間には、弾性を有する押圧フィルム体が介挿され、該押圧フィルム体における原稿搬送の上流側は前記原稿案内体における原稿搬送の上流側に固定され、前記押圧フィルム体は前記案内面に対して自由状態にて添設され、この自由状態の押圧フィルム体自体の弾力により前記原稿の裏面を前記原稿読取り部に密接すべく押圧するように構成されていることを特徴とする原稿読取り装置。
【請求項２】
前記押圧フィルム体は、少なくとも前記原稿読取り部と対峙する箇所が白色に形成されていることを特徴とする請求項１に記載の原稿読取り装置。
【発明の詳細な説明】
【０００１】
【発明の属する技術分野】
本発明は、ファクシミリ装置、複写機、文字認識装置における原稿スキャナ装置、ＣＡＤシステムにおける自動図面読取り装置（デジタイザ）等における原稿読取り装置の構造に関するものである。
【０００２】
【従来の技術】
従来、複写機やファクシミリ装置等における原稿読取り装置として、特開平８−３３１３２７号公報に開示されているように、ライン型のＣＣＤスキャナを備えたものが知られている。
この原稿読取り装置によれば、読み取るべき原稿を搬送するフイードローラ対と排紙ローラ対との間に前記原稿の搬送方向（副走査方向）に対して直交等に交差する方向（以下主走査方向という）に長いライン型のＣＣＤスキャナを配置する。そして、前記主走査方向に原稿表面を光照射し、その反射光をＣＣＤスキャナにて読み取る。この場合、ＣＣＤスキャナの光学系の焦点から原稿表面までの距離を一定にして読取られるべき画像を鮮明にするために、ＣＣＤスキャナの読取り部箇所に対して原稿用紙が接離する方向に振れないようにするガイド板を配置するのが通常であった。
【０００３】
最近では、前記ＣＣＤスキャナに代えて、密着型イメージスキャナ（ＣＩＳ）を原稿読取り装置として利用することが行われている。
【０００４】
【発明が解決しようとする課題】
しかしながら、前記密着型イメージスキャナの場合、このスキャナの読取り部表面に対して原稿表面がほぼ密着する状態で当該原稿を通過させる必要があり、前記読取り部表面と原稿表面との間が０．２ｍｍ以上離れると、読取り不能となるので、前記スキャナの読取り部表面にほぼ当接するようにガイド板からなる原稿押えを可動に配置していたが、原稿が薄い場合、当該原稿の腰の強さだけで前記ガイド板からなる原稿押えを押し上げることができず、この原稿押えとスキャナの読取り部表面との間に薄い原稿が円滑に導入されず、紙詰まりが発生したり、原稿に皺がよる等の問題があった。
【０００５】
スキャナの読取り部表面にほぼ当接するように回転するローラを配置する場合も前記同様に薄い原稿でローラを押し上げることは困難であった。
しかも、密着型イメージスキャナの読取り部の表面は、原稿の前記主走査方向に沿う表面との密着性を向上させるため、前記主走査方向の長さのほぼ中央部が端部より高くなるという中高形状に形成されているため、特に前記ガイド板の表面を前記中高形状に対応した形状に形成するには製造コストが高くなるという問題があった。
【０００６】
本発明は、上記の問題点を解消するためになされたものであって、簡単な構造で密着型イメージスキャナの原稿読取り部の表面に対して原稿の表面を密着し易いようにした原稿読取り装置を提供することを目的としている。
【０００７】
【課題を解決するための手段】
前記目的を達成するため、請求項１に記載した発明の原稿読取り装置は、一枚ずつ搬送された原稿を密着型イメージスキャナの原稿読取り部を通過させて読み取る原稿読取り装置であって、前記原稿読取り部と対峙して、当該原稿読取り部における主走査方向に長い原稿案内体が配置され、該原稿案内体における原稿搬送の下流側であって、前記原稿読取り部の読取ラインと対峙する位置には、前記原稿読取り部の主走査方向に沿う表面と適宜隙間隔て実質上平行状の案内面が形成されると共に、前記隙間には、弾性を有する押圧フィルム体が介挿され、該押圧フィルム体における原稿搬送の上流側は前記原稿案内体における原稿搬送の上流側に固定され、前記押圧フィルム体は前記案内面に対して自由状態にて添設され、この自由状態の押圧フィルム体自体の弾力により前記原稿の裏面を前記原稿読取り部に密接すべく押圧するように構成されたものである。
【０００８】
また、請求項２に記載の発明は、請求項１に記載の原稿読取り装置において、前記押圧フィルム体は、少なくとも前記原稿読取り部と対峙する箇所が白色に形成されているものである。
【０００９】
【実施形態】
次に、本発明の好ましい実施の形態を、図面を参照しつつ具体的に説明する。図１は本発明を適用するファクシミリ装置１の側断面図、図２は読取り部の要部拡大側断面図、図３は読取り部の部品の正面図であって、左右の長さに対して高さ方向の寸法を誇張して表現したものである。
【００１０】
先ず、ファクシミリ装置１の構造について概略説明する。なお、本実施例のファクシミリ装置１は、原稿８から画像等を読取り、その画像データをファクシミリデータとして電話回線を介して他のファクシミリ装置に送信すると共に電話回線を介して他のファクシミリ装置から送信されたファクシミリデータを受信して記録用紙４にその画像を形成する、通常のファクシミリ装置としての機能の他、パーソナルコンピュータやワードプロセッサ等からプリンタケーブルまたは赤外線等の無線を介して伝送されてきたプリントデータを受けてそのデータに応じて画像を形成するプリンタとしての機能を有する。
【００１１】
ファクシミリ装置１の本体２の一側には、図示しない受話器が配置され、本体２の上面前部にはキースイッチ３ａや液晶表示装置３ｂなどを有する操作パネル３が設けられている。また、本体２の上面後部には記録用紙４を斜め下向き状の立てた状態で積層して載置するためのホッパー部としての左右一対の給紙ガイド部５が、本体２の上面後部を覆うための回動可能なカバー体６の裏面に設けられ、本体２上面前後中途部には原稿台７が着脱可能に装着されている。
【００１２】
ホッパー部としての前記給紙ガイド部５より下方には、給紙口１３からの記録用紙４を一枚ずつ搬送するための水平軸心回りに間欠的に回転する給紙ローラ１５と、その下周面にばねにて付勢された分離パッド１６と、該分離パッド１６よりも搬送上流側にて積層された記録用紙４を給紙ローラ１５の円周面の一部（後面）に押圧する押圧体１７とからなる給紙部１４が備えられている。
【００１３】
この給紙部１４の下方には、記録部としてのローラ状のプラテン２０と、該プラテン２０の下面に向かってばね２１にて付勢されたサーマルヘッド２２の印字台２３と、該印字台２３に跨がるように配置するインクリボンカートリッジ２４とが配置されている。インクリボンカートリッジ２４における本体２の後部側に配置された供給側リボンスプール２５から前方の巻取り側リボンスプール２６に巻回したインクリボン２７は、サーマルヘッド２２及びバネ板製のテンション体２８の上面を通過し、巻取り側リボンスプール２６の下周面側に至る。このとき、広幅の樹脂フィルムからなるインクリボン２７の上面（インク面）に記録用紙４を対面させるようにして、プラテン２０とラインプリンタであるサーマルヘッド２２の記録面とにより挟み込んで、画像データに応じてサーマルヘッド２２の発熱体に通電することにより、１ラインずつ記録用紙４に画像が形成される。
【００１４】
前記サーマルヘッド２２による印字部にて印刷されたのちの記録用紙４は、排紙通路３０及び排紙ローラ対３１を介して、前記給紙部１４の上側の排紙部３２上に排紙されるように構成されている。
次に、本発明に係る原稿読取り部の構成について、図１〜図３を参照しながら詳述する。図１に示すように、本体２内には、前記操作パネル３の下方位置に、前記原稿台７からの原稿８を一枚ずつに分離して給送するための分離ローラ９ａと搬送するためのフィードローラ対９ｂと、密着型イメージスキャナ（ＣＩＳ）１０と、その原稿読取り部（ガラス面）１０ａの上側に配置した原稿案内体１１と、排紙ローラ対１２とが配置されている。
【００１５】
図３に示すように、密着型イメージスキャナ（ＣＩＳ）１０の原稿読取り部（ガラス面）１０ａの上面は、その主走査方向のほぼ中央側が左右両側端よりも高くなる（中高）ように形成されている。実施例では、前記中高の寸法は０．３ｍｍ程度である。
他方、原稿案内体１１は、原稿８の搬送方向と直交する方向（主走査方向）に沿って長手で断面横向きの略Ｌ字状に形成された金属板製であって、縦板部１１ａの左右両側端には、密着型イメージスキャナ（ＣＩＳ）１０の上面に当接する高さ寸法Ｈ２（実施例では０．２５ｍｍ程度）の足部３３を有し、この左右両足部３３，３３の間には、前記原稿読取り部１０ａの中高面とほぼ並行状となる上向き凸湾曲状の案内面３４が形成されている。この案内面３４は、密着型イメージスキャナ（ＣＩＳ）１０における原稿読取り部１０ａのうち、読取りライン３６と対峙するように配置される。案内面３４のうち前記足部３３から最も高い高さＨ３は、実施例では０．３５ｍｍ（±０．０５ｍｍ）である。実施形態では、この案内面３４は、金属板の縦板部１１ａの端面を切断する等して形成する。
【００１６】
そして、前記原稿案内体１１の搬送上流側には補助案内体３５が配置されている。合成樹脂製の補助案内体３５は主走査方向に長く、前記原稿案内体１１とほぼ同じ長さに形成される。また、補助案内体３５から突出する係止部３５ａ等に前記原稿案内体１１が取付けられている。補助案内体３５の下面を搬送上流側で、密着型イメージスキャナ１０の上面（読取り面側）との隙間が大きく、搬送下流側に行くに従って隙間が小さくなるが、前記案内面３４よりも密着型イメージスキャナ１０の上面に近づくことがないように形成される。
【００１７】
さらに、前記補助案内体３５の下面から原稿案内体１１の案内面３４より搬送下流側にわたって、ＰＥＴ樹脂（ポリエチレンテレフタレート樹脂）等の弾性を有する押圧フィルム体３７の搬送上流側端部を、前記補助案内体３５の下面の搬送上流側に接着剤等にて固定するが、押圧フィルム体３７の搬送下流側は自由状態であり、特に、原稿案内体１１の案内面３４に対して自由状態のまま添設され、押圧フィルム体３７の搬送下流側端縁は前記案内面３４よりも搬送下流側に延びている。押圧フィルム体３７の厚さは、実施例では０．２５ｍｍ程度である。また、密着型イメージスキャナ１０の上面（読取り面側）と対面する、押圧フィルム体３７の面を白色の着色層とし、白レベルチェックの基準とすることにより、原稿８の白レベルを密着型イメージスキャナ１０にて計測して、白黒２値化信号への変換を確実にする。
【００１８】
上記の構成により、原稿台７に載置された原稿８は分離ローラ９ａにて一枚ずつに分離されたのち、フイードローラ対９ｂを介して補助案内体３５の下面と密着型イメージスキャナ１０の上面（読取り面側）との間に搬送される。そうすると、補助案内体３５の下面側から原稿案内体１１の案内面３４の下面にわたる自由状態の押圧フィルム体３７自体の弾力にて原稿８の裏面全体が密着型イメージスキャナ１０の原稿読取り部１０ａに密接するように押圧できる。また、押圧フィルム体３７自体の弾力はそれほど強くないから、押圧される原稿８が薄いものでも押圧フィルム体３７の存在によって皺よりを発生させることがなく、原稿８が円滑に原稿読取り部１０ａを通過させることができる。
【００１９】
そして、前記原稿読取り部１０ａが主走査方向に沿って中高状の湾曲面になっていても、前記押圧フィルム体３７は幅方向の弾性変形にて前記湾曲面に沿うことができるから、原稿８はその幅方向全体にわたって前記原稿読取り部１０ａの主走査方向の全面に確実に密接させることができるのである。
また、本発明の給紙装置は、ファクシミリ装置に限るものではなく、プリンタ、複写機、あるいはそれらの複数の機能を備えた機器などに用いることができる。
【００２０】
【発明の効果】
以上説明したように請求項１に記載した発明の原稿読取り装置は、一枚ずつ搬送された原稿を密着型イメージスキャナの原稿読取り部を通過させて読み取る原稿読取り装置であって、前記原稿読取り部と対峙して、当該原稿読取り部における主走査方向に長い原稿案内体が配置され、該原稿案内体における原稿搬送の下流側であって、前記原稿読取り部の読取ラインと対峙する位置には、前記原稿読取り部の主走査方向に沿う表面と適宜隙間隔て実質上平行状の案内面が形成されると共に、前記隙間には、弾性を有する押圧フィルム体が介挿され、該押圧フィルム体における原稿搬送の上流側は前記原稿案内体における原稿搬送の上流側に固定され、前記押圧フィルム体は前記案内面に対して自由状態にて添設され、この自由状態の押圧フィルム体自体の弾力により前記原稿の裏面を前記原稿読取り部に密接すべく押圧するように構成されたものである。
【００２１】
従って、従来のような固い押圧板の案内面で原稿を押圧するのではなく、前記案内面の下面の押圧フィルム体自体の弾力にて原稿の裏面全体を密着型イメージスキャナの原稿読取り部に密接するように押圧できる。そして、押圧フィルム体自体の弾力はそれほど大きすぎるものでないから、搬送される原稿が薄くても、押圧フィルム体の押圧力で皺よることがなく、紙詰まりを発生させることなく確実に原稿読取りを実行することができる。また、原稿読取り部の走査方向に沿う表面と適宜隙間隔てほぼ平行状の案内面が中高状の湾曲面であっても、前記押圧フィルム体自体の弾性変形にて前記湾曲面に沿うように原稿を押圧することができるという顕著な効果を奏する。そのための構成も、押圧フィルム体の介挿という簡単な構成であるから製造コストも低減できるという効果を奏する。
【００２２】
また、請求項１に記載の発明によると、前記効果に加えて、前記原稿読取り部が主走査方向に沿って中高状の湾曲面になっていても、前記自由状態の押圧フィルム体は幅方向の弾性変形にて前記湾曲面に沿うことができるから、原稿はその幅方向全体にわたって前記原稿読取り部の主走査方向の全面に確実に密接させることができるという顕著な効果を奏する。
【００２３】
そして、請求項２に記載の発明は、請求項１に記載の原稿読取り装置において、前記押圧フィルム体は、少なくとも前記原稿読取り部と対峙する箇所が白色に形成されているものであるから、前記請求項１における効果に加えて、原稿を通過させない状態で密着型イメージスキャナを作動させることにより、前記押圧フィルム体の白色の面が原稿読取り部に密接できるから、簡単、且つ正確に原稿の白レベルを計測できるという効果を奏する。
【図面の簡単な説明】
【図１】  ファクシミリ装置の側断面図である。
【図２】  原稿読取り部の要部拡大側断面図である。
【図３】  原稿読取り部の要部正面図である。
【符号の説明】
７      原稿台
８      原稿
９ａ    分離ローラ
９ｂ    フイードローラ対
１０      密着型イメージスキャナ
１０ａ    原稿読取り部
１１      原稿案内体
１２      排紙ローラ対
３３      足部
３４      案内面
３５      補助案内体
３７      押圧フィルム体
【図１】
0003870998.tif 000002
【図２】
0003870998.tif 000003
【図３】
0003870998.tif 000004